(57)【要約】【課題】スイッチとして金メッキ接点等の特殊なスイッチを必要とすることなく、しかも接触不良をなくすために電流を多く流すといった処理も不要であり、かつスイッチがオフ操作されても直流電源部はオン状態を継続できる電源装置等を提供する。【解決手段】交流電源Ｖａｃに整流回路１１及び平滑回路Ｃ１を介して接続された直流電源部１２、１３と、交流電源に接続されたゼロクロス検出回路１４と、直流電源部１２、１３から直流電力が供給されるとともに、ゼロクロス検出回路１４からのゼロクロス検出信号が入力される制御手段ＣＣ１と、ユーザーによって操作されるスイッチＳＷと、を備えた電源装置１であって、スイッチＳＷが、交流電源Ｖａｃとゼロクロス検出回路１４との間に接続され、制御手段ＣＣ１は、スイッチＳＷのオンオフをゼロクロス検出回路１４からのゼロクロス検出信号に基づいて判定する。【選択図】図２
2018025866.tif 000002
【特許請求の範囲】
【請求項１】
交流電源に整流回路及び平滑回路を介して接続された直流電源部と、
前記交流電源に接続されたゼロクロス検出回路と、
前記直流電源部から直流電力が供給されるとともに、前記ゼロクロス検出回路からのゼロクロス検出信号が入力される制御手段と、
ユーザーによって操作されるスイッチと、
を備えた電源装置であって、
前記スイッチが、前記交流電源とゼロクロス検出回路との間に接続され、前記制御手段は、前記スイッチのオンオフを前記ゼロクロス検出回路からのゼロクロス検出信号に基づいて判定することを特徴とする電源装置。
【請求項２】
前記制御手段は、前記ゼロクロス検出回路からのゼロクロス検出信号が前記交流電源の周波数に同期した周期で検出されなくなったことを検出してスイッチのオフ操作がなされた判定し、ゼロクロス検出信号が交流電源の周波数に同期した周期で検出されたことを検出してスイッチのオン操作がなされたと判定する請求項１に記載の電源装置。
【請求項３】
前記スイッチがオンの状態で交流電源が遮断されたときは、前記制御手段は、スイッチのオフ操作がなされたと判定する請求項１または２に記載の電源装置。
【請求項４】
記憶手段を備え、
前記制御手段は、スイッチのオフ操作がなされたと判定したときは、制御情報をバックアップのために前記記憶手段へ記憶する請求項１〜３の何れかに記載の電源装置。
【請求項５】
前記記憶手段へバックアップされる制御情報はファームウェアの初期化情報が含まれ、前記制御手段はファームウェアの初期化情報のスナップショットを取得して前記記憶手段に記憶する請求項４に記載の電源装置。
【請求項６】
前記ゼロクロス検出回路はフォトカプラと、該フォトカプラの一次側電流を制限するインピーダンス素子を備え、フォトカプラからの二次側出力から前記ゼロクロス検出信号が出力される請求項１〜５の何れかに記載の電源装置。
【請求項７】
前記インピーダンス素子は直列接続された抵抗とコンデンサからなる請求項６に記載の電源装置。
【請求項８】
請求項１〜７の何れかに記載の電源装置と定着用ヒーターを備え、
前記ゼロクロス検出回路は、前記定着用ヒーターのゼロクロス制御または位相制御に使用される画像形成装置。
【請求項９】
前記制御手段は、前記抵抗とコンデンサによる交流電源とのゼロクロス位相差を、ゼロクロス検出信号に対して補正する請求項８に記載の画像形成装置。
【請求項１０】
前記制御手段は、スイッチのオフ操作がなされたと判定した場合は前記定着用ヒーターの制御を停止する請求項８または９に記載の画像形成装置。
【請求項１１】
請求項１〜７の何れかに記載の電源装置と転写ベルトを備え、
前記制御手段は、スイッチのオフ操作がなされたと判定した場合は前記転送ベルトを初期位置へと移動させることを特徴とする画像形成装置。
【発明の詳細な説明】
【技術分野】
【０００１】
この発明は、画像形成装置の電源等に用いられる電源装置、及びこの電源装置を備えた画像形成装置に関する。
【背景技術】
【０００２】
近年、画像形成装置等では、ユーザー操作による電源スイッチのオフ後にファームウェアの初期化データのスナップショットを取得し、記憶部に記憶することで初期化データをバックアップしておき、電源スイッチのオン時には前記バックアップされた初期化データを用いて初期化することにより立ち上げ時間を短縮した装置が増加している。
【０００３】
このような初期化データの取得や電源スイッチのオン時の装置の初期化は、直流電源部から直流電力を供給される制御部で行われ、直流電源部は、商用電源等の交流電源からの電流を整流回路や平滑回路を介してスイッチングすることにより生成されるのが一般的である。また、定着用ヒーター等の制御のために交流電源のゼロクロスを検出するゼロクロス検出回路を備えていることも多い。
【０００４】
従来、上述のように、電源スイッチのオフ後に初期化データの取得や記憶部への記憶を行うために、電源スイッチのオフ後も直流電源部を常時オン状態にしておく必要があることから、前記電源スイッチを交流電源側ではなく制御部の下流側に設け、交流電源を直流電源部と常時接続しておくことが行われていた。
【先行技術文献】
【特許文献】
【０００５】
【特許文献１】特開２００７−３１２５１８号公報
【発明の概要】
【発明が解決しようとする課題】
【０００６】
しかしながら、電源スイッチを交流電源側に設けることなく制御部の下流側に設けることは、以下のような問題があった。
【０００７】
即ち、電源スイッチはユーザーによって操作されるため、スイッチ形状を大きくする必要があるが、制御部の下流側でのスイッチのオンオフ操作は、出力の小さい（例えば直流５Ｖ）の微小電流をオンオフすることになり、金メッキ接点が必要となる等、特殊のスイッチとなり、流通数量が少なくコスト高となる。このため、スイッチ形状を大きくするには限界があるという問題があった。
【０００８】
また、接触不良をなくすために、電流を多くし常時オンにしていると、省エネルギモード時の消費電力に与える影響が大きいという問題もあった。
【０００９】
なお、特許文献１には、メイン電源のオフに応じて速やかに平滑コンデンサの電荷を消費することが可能な電源装置として、整流部１２Ａ，１２Ｂ、電源スイッチ１０、平滑コンデンサ２６、メイン電源部１４、サブ電源部１６、切換部２０、ゼロクロス検出回路１８を備え、メイン電源部１４は、１次側が平滑コンデンサ２６に接続されたトランス２７を有し、サブ電源部１６は、１次側が平滑コンデンサ２６に接続されたトランス３３を有し、ゼロクロス検出回路１８は、商用電源８０からの交流の供給状態を検出することによって電源スイッチ１０がオフになったことを検出し、切換部２０は、メイン電源部１４がオフの場合にゼロクロス検出回路１８が電源スイッチ１０のオフを検出したときには、メイン電源部１４をオンに切り換える電源装置が提案されている。
【００１０】
しかし、上記特許文献１では、電源スイッチによりメイン電源部及びサブ電源部をオフにするため、ゼロクロス検出信号によりスイッチのオフ操作を検出しても、電源がないため初期化データのバックアップ動作を実行することができないという問題がある。
【００１１】
この発明は、このような技術的背景に鑑みてなされたものであって、スイッチとして金メッキ接点等の特殊なスイッチを必要とすることなく、しかも接触不良をなくすために電流を多く流すといった処理も不要であり、かつスイッチがオフ操作されても直流電源部はオン状態を継続できる電源装置を提供し、さらにはこの電源装置を備えた画像形成装置の提供を課題とする。
【課題を解決するための手段】
【００１２】
上記課題は以下の手段によって解決される。
（１）交流電源に整流回路及び平滑回路を介して接続された直流電源部と、前記交流電源に接続されたゼロクロス検出回路と、前記直流電源部から直流電力が供給されるとともに、前記ゼロクロス検出回路からのゼロクロス検出信号が入力される制御手段と、ユーザーによって操作されるスイッチと、を備えた電源装置であって、前記スイッチが、前記交流電源とゼロクロス検出回路との間に接続され、前記制御手段は、前記スイッチのオンオフを前記ゼロクロス検出回路からのゼロクロス検出信号に基づいて判定することを特徴とする電源装置。
（２）前記制御手段は、前記ゼロクロス検出回路からのゼロクロス検出信号が前記交流電源の周波数に同期した周期で検出されなくなったことを検出してスイッチのオフ操作がなされた判定し、ゼロクロス検出信号が交流電源の周波数に同期した周期で検出されたことを検出してスイッチのオン操作がなされたと判定する前項１に記載の電源装置。
（３）前記スイッチがオンの状態で交流電源が遮断されたときは、前記制御手段は、スイッチのオフ操作がなされたと判定する前項１または２に記載の電源装置。
（４）記憶手段を備え、前記制御手段は、スイッチのオフ操作がなされたと判定したときは、制御情報をバックアップのために前記記憶手段へ記憶する前項１〜３の何れかに記載の電源装置。
（５）前記記憶手段へバックアップされる制御情報はファームウェアの初期化情報が含まれ、前記制御手段はファームウェアの初期化情報のスナップショットを取得して前記記憶手段に記憶する前項４に記載の電源装置。
（６）前記ゼロクロス検出回路はフォトカプラと、該フォトカプラの一次側電流を制限するインピーダンス素子を備え、フォトカプラからの二次側出力から前記ゼロクロス検出信号が出力される前項１〜５の何れかに記載の電源装置。
（７）前記インピーダンス素子は直列接続された抵抗とコンデンサからなる前項６に記載の電源装置。
（８）前項１〜７の何れかに記載の電源装置と定着用ヒーターを備え、前記ゼロクロス検出回路は、前記定着用ヒーターのゼロクロス制御または位相制御に使用される画像形成装置。
（９）前記制御手段は、前記抵抗とコンデンサによる交流電源とのゼロクロス位相差を、ゼロクロス検出信号に対して補正する前項８に記載の画像形成装置。
（１０）前記制御手段は、スイッチのオフ操作がなされたと判定した場合は前記定着用ヒーターの制御を停止する前項８または９に記載の画像形成装置。
（１１）前項１〜７の何れかに記載の電源装置と転写ベルトを備え、前記制御手段は、スイッチのオフ操作がなされたと判定した場合は前記転送ベルトを初期位置へと移動させることを特徴とする画像形成装置。
【発明の効果】
【００１３】
前項（１）に記載の発明によれば、ユーザーが操作するスイッチは、交流電源とこの交流電源に接続されたゼロクロス検出回路との間に接続されているから、スイッチとして金メッキ接点を有する特殊なスイッチは不要であり、交流電源のオンオフに用いられる流通数の多い汎用のスイッチを使用することができるうえ、接触不良をなくすために電流を多く流すといった処理も不要であるから、スイッチの選択自由度が大きくコスト低減を図ることができる。しかも、交流電源に整流回路及び平滑回路を介して接続された直流電源部は、スイッチの開閉に影響を受けることなく常時交流電源に接続されいるから、スイッチがオフ操作されても制御部への電力供給は継続され、このためスイッチがオフ操作されたときに制御部が例えば初期化データのバックアップ動作等の処理を行う場合であっても、支障なくこれを行うことができる。
【００１４】
前項（２）に記載の発明によれば、制御手段は、ゼロクロス検出回路からのゼロクロス検出信号が前記交流電源の周波数に同期した周期で検出されなくなったことを検出してスイッチのオフ操作がなされたと判定し、ゼロクロス検出信号が交流電源の周波数に同期した周期で検出されたことを検出してスイッチのオン操作がなされたと判定するから、スイッチの開閉を精度良く検出することができる。
【００１５】
前項（３）に記載の発明によれば、スイッチがオンの状態で交流電源が遮断されたときは、スイッチのオフ操作がなされたと判定されるから、例えば電源がコンセントから強制的に抜かれたような場合であっても、スイッチのオフ操作がなされたと判定されてそれに応じた処理が行われる。
【００１６】
前項（４）に記載の発明によれば、スイッチのオフ操作がなされたと判定したときは、制御手段は制御情報をバックアップのために記憶手段へ記憶することができる。
【００１７】
前項（５）に記載の発明によれば、スイッチのオフ操作がなされたと判定したときは、制御手段はファームウェアの初期化情報のスナップショットを取得して記憶手段に記憶するから、スイッチが閉操作されたときに、この初期化情報を用いて装置を早期に初期化することができる。
【００１８】
前項（６）に記載の発明によれば、ゼロクロス検出回路はフォトカプラと、該フォトカプラの一次側電流を制限するインピーダンス素子を備え、フォトカプラからの二次側出力から前記ゼロクロス検出信号が出力されるから、ゼロクロス検出を精度良く行うことができる。
【００１９】
前項（７）に記載の発明によれば、インピーダンス素子は直列接続された抵抗とコンデンサからなるから、抵抗素子のみからなる場合に較べて消費電力を低減できる。
【００２０】
前項（８）に記載の発明によれば、ゼロクロス検出回路により、定着用ヒーターのゼロクロス制御または位相制御を行うことができる。
【００２１】
前項（９）に記載の発明によれば、抵抗とコンデンサによる交流電源とのゼロクロス位相差が、ゼロクロス検出信号に対して補正されるから、交流電源との位相差をなくした状態でヒーター制御を行うことができる。
【００２２】
前項（１０）に記載の発明によれば、スイッチのオフ操作がなされたと判定した場合は定着用ヒーターの制御を停止するから、不要な電力消費を防止できる。
【００２３】
前項（１１）に記載の発明によれば、制御手段は、スイッチのオフ操作がなされたと判定した場合は転送ベルトを初期位置へと移動させるから、次にスイッチがオンになった際には転写ベルトは既に初期位置に移動した状態となっているから、スイッチのオン後に印刷ジョブを早期に実行することができる。
【図面の簡単な説明】
【００２４】
【図１】この発明の一実施形態に係る電源装置が内蔵された画像形成装置の概略構成図である。
【図２】電源装置の回路図である。
【図３】（Ａ）〜（Ｄ）は交流電源の出力と、スイッチのオンオフと、ゼロクロス検出信号の位相関係を示す波形図である。
【図４】制御部で実行されるスイッチのオンオフ判定処理を示すフローチャートである。
【発明を実施するための形態】
【００２５】
以下、この発明の実施形態を図面に基づいて説明する。
【００２６】
図１は、この発明の一実施形態に係る電源装置１０が用いられた画像形成装置１の概略構成図である。この実施形態では、画像形成装置１として、プリンタ機能、ファクシミリ機能、スキャン機能等の機能を備えた多機能デジタル画像形成装置が用いられている。
【００２７】
画像形成装置１の内部には電源装置１０が内蔵され、交流電源から生成された直流電源により、画像形成装置１の各種の駆動部品や制御系に電力を供給している。
【００２８】
この画像形成装置１０１に印字の指示があると、給紙トレイ１０２に格納された記録媒体としての用紙Ｓが１枚ずつ給紙ローラ１１０ａにより給紙搬送路１００に取り出され、搬送ローラ１１０ｂ，１１０ｃにより搬送される。
【００２９】
前記用紙Ｓが搬送される一方、帯電された各色の感光体１０５ａ，１０５ｂ，１０５ｃ、１０５ｄが画像データに基づいてレーザユニット１０３により露光される。そして、各色の現像ユニット１０４ａ，１０４ｂ，１０４ｃ，１０４ｄ内のトナーが現像されて感光体１０５ａ，１０５ｂ，１０５ｃ１０５ｄ上にトナー画像が形成され、電圧を印加することにより感光体１０５ａ，１０５ｂ，１０５ｃ１０５ｄ上のそれぞれイエロー（Ｙ），マゼンタ（Ｍ），シアン（Ｃ），ブラック（Ｋ）の４色のトナー画像が、転写ベルト１０６上に転写される。
【００３０】
この後、転写ローラ１１０ｄに電圧を印加することにより、転写ベルト１０６に形成された４色のトナー画像が用紙Ｓに転写される。用紙Ｓ上に形成されたトナー画像は、定着器１０８の加圧ローラ１１とヒーターによって加熱された定着ローラ１２間を通過することにより、熱と圧力が加わり用紙Ｓ上に定着される。トナー画像が定着された用紙Ｓは、排紙ロ−ラ１１０ｅ，１１０ｅにより図示しない排紙トレイに排出される。
【００３１】
画像形成が行われて前記現像ユニット１０４ａ，１０４ｂ，１０４ｃ，１０４ｄ内のトナーが少なくなると、各色のトナーボトル１０７ａ，１０７ｂ，１０７ｃ，１０７ｄに保管されたトナーが現像ユニット１０４ａ，１０４ｂ，１０４ｃ，１０４ｄに供給される。
【００３２】
また、メインモータ１０９ａは、給紙工程から転写工程まで用紙Ｓを搬送するための回転駆動源であり、この他、転写ベルト１０６を駆動したり、ブラック感光体１０５ｄを駆動する。定着モータ１０９ｂは、定着器１０８の駆動を行う。
【００３３】
さらにまた、ブラック用現像モータ１０９ｃは、ブラック現像ユニット１０４ｄの駆動を行う。
【００３４】
また、カラー現像モータ１０９ｄは、イエロー（Ｙ），マゼンタ（Ｍ），シアン（Ｃ）の現像ユニット１０４ａ，１０４ｂ，１０４ｃを駆動する。
【００３５】
さらに、カラー感光体モータ１０９ｅは、イエロー（Ｙ），マゼンタ（Ｍ），シアン（Ｃ）の感光体１０５ａ，１０５ｂ，１０５ｃを駆動する。
【００３６】
図２は電源装置１０の回路図である。この電源装置１０は、４個のダイオードＤ１〜Ｄ４からなり交流電源Ｖａｃからの入力を全波整流する整流回路１１と、整流回路の出力を平滑する平滑回路としての平滑コンデンサＣ１と、平滑コンデンサＣ１の出力側にそれぞれ接続された第１直流電源部１２と第２直流電源部１３を備えている。なお、交流電源Ｖａｃとしてこの実施形態では商用電源が用いられている。
【００３７】
第１直流電源部１２は２４Ｖの直流電力を出力するものであり、第２直流電源部１３は５Ｖの直流電力を出力するものである。
【００３８】
第１直流電源部１２は平滑コンデンサＣ１に１次側が接続されたトランスＴ１と、トランスＴ１の一次側における平滑コンデンサＣ１とは反対側に接続されたスイッチング素子Ｑ１を備えている。これらのトランスＴ１とスイッチング素子Ｑ１にて、Ｑ１オン時にトランスＴ１の一次側に電力をチャージし、Ｑ１オフ時にトランスＴ１の二次側に電力を伝達する。トランスＴ１の二次側にはダイオードＤ５のアノードが接続されると共に、ダイオードＤ５のカソードは制御部ＣＣ１の２４Ｖ端子に接続されている。さらに、トランスＴ１の二次側におけるダイオードＤ５と反対側の端子は、制御部ＣＣ１の接地（ＧＮＤ）端子に接続され、制御部ＣＣ１の２４Ｖ端子と接地端子間にはコンデンサＣ２が接続されている。
【００３９】
そして、スイッチング素子Ｑ１のオフ時にトランスＴ１の二次側に伝達された電力は、ダイオードＤ５にて半波整流され、コンデンサＣ２にて平滑されて第１直流電源部１２の出力電圧となる。スイッチング素子Ｑ１のオン・オフデューティ比を制御することにより、第１直流電源部１２の出力が２４Ｖ一定電圧となるように制御している。
【００４０】
第２直流電源部１３も第１直流電源部１２と同様の構成であるである。即ち、第２直流電源部１３は平滑コンデンサＣ１に１次側が接続されたトランスＴ２と、トランスＴ２の一次側における平滑コンデンサＣ１とは反対側に接続されたスイッチング素子Ｑ２を備えている。これらのトランスＴ２とスイッチング素子Ｑ２にて、Ｑ２オン時にトランスＴ２の一次側に電力をチャージし、Ｑ２オフ時にトランスＴ２の二次側に電力を伝達する。トランスＴ１の二次側にはダイオードＤ６のアノードが接続されると共に、ダイオードＤ６のカソードは制御部ＣＣ１の５Ｖ端子に接続されている。さらに、トランスＴ２の二次側におけるダイオードＤ６と反対側の端子は、制御部ＣＣ１の接地（ＧＮＤ）端子に接続され、制御部ＣＣ１の５Ｖ端子と接地端子間にはコンデンサＣ３が接続されている。
【００４１】
そして、スイッチング素子Ｑ２のオフ時にトランスＴ２の二次側に伝達された電力は、ダイオードＤ６にて半波整流され、コンデンサＣ３にて平滑されて第２直流電源部１３の出力電圧となる。スイッチング素子Ｑ２のオン・オフデューティ比を制御することにより、第２直流電源部１３の出力が５Ｖ一定電圧となるように制御している。
【００４２】
また、交流電源Ｖａｃの正負電極間には、スイッチＳＷとゼロクロス検出回路１４が直列に接続されている。スイッチＳＷは画像形成装置１のメインスイッチであり、ユーザーが例えば業務終了時等にオフ操作するスイッチである。
【００４３】
ゼロクロス検出回路１４は、抵抗Ｒ１、コンデンサＣ４、フォトカプラＰＣ１からなり、抵抗Ｒ１、コンデンサＣ４、フォトカプラＰＣ１の一次側が、スイッチＳＷと交流電源Ｖａｃの両電極間に直列に接続されている。これによりスイッチＳＷがオン（開）であるときに交流電源Ｖａｃからゼロクロス検出電流Ｉｚｒｘが流れて、入力電圧（交流電圧）のゼロクロスを検出可能となり、フォトカプラＰＣ１の二次側出力が、ゼロクロス検出信号ＺＲＸ１として制御部ＣＣ１の端子ＺＲＸに入力されている。なお、フォトカプラＰＣ１の二次側のコレクタは、第２直流電源部１３の出力に接続されて５Ｖにプルアップされている。
【００４４】
また、交流電源ＶａｃにはトライアックＴＲ１を介して、画像形成装置１の定着用ヒータHEATERが接続されている。
【００４５】
制御部ＣＣ１からヒータ点灯信号ＨＣＬ１１が出力されるとトライアックＴＲ１がオンし、ヒータHEATERが点灯し定着の温調制御を行う。
【００４６】
図３は、交流電源Ｖａｃの出力と、スイッチＳＷのオンオフと、ゼロクロス検出信号ＺＲＸ１の位相関係を示す波形図である。
【００４７】
同図（Ａ）の実線は交流電源Ｖａｃの電圧を示し、破線はゼロクロス検出回路１４を流れるゼロクロス検出電流Ｉｚｒｘを示す。ゼロクロス検出回路１４はコンデンサＣ４を有しているので、ゼロクロス検出電流Ｉｚｒｘの位相は交流電源Ｖａｃの電圧の位相よりも進んでいる。
【００４８】
同図（Ｂ）に示すように、スイッチＳＷのオン時はゼロクロス検出回路１４にゼロクロス検出電流Ｉｚｒｘが流れる。フォトカプラＰＣ１の二次側のコレクタは５Ｖにプルアップされているので、ゼロクロス検出電流Ｉｚｒｘによって、ゼロクロス検出信号ＺＲＸ１は同図（Ｃ）に示すように、交流電流の半波周期ごとにオフとなる波形となり制御部ＣＣＩに入力される。しかし、ゼロクロス検出電流Ｉｚｒｘは電源電圧よりも位相が進んでいるので、同図（Ｃ）の波形からも理解されるように、電源電圧のゼロクロスのタイミングとは位相が異なっている。このため、ゼロクロス検出信号ＺＲＸ１をそのままヒーターHEATERの加熱制御に用いると、ヒーターHEATERの加熱は電源電圧に基づいて行われるため、制御にずれが発生する。
【００４９】
そこで、この実施形態では、ゼロクロス検出回路１４におけるコンデンサＣ４と抵抗Ｒ１により決まる位相差は一定なので、制御部ＣＣ１は、ゼロクロス検出回路１４から入力されたゼロクロス検出信号ＺＲＸ１の位相を、図２（Ｄ）に示すように、ゼロクロス検出信号ＺＲＸ１が交流電源の半波周期にて短時間Ｌレベルとなるように遅延させて補正し、ヒーターHEATERの加熱制御に用いている。ヒーターHEATERの加熱制御は、交流電源の半周期毎にヒーターに電力を供給するゼロクロス制御であっても良いし、交流電源の位相制御により行われても良い。
【００５０】
一方、スイッチＳＷがタイミングＴ１でオフ操作されると、ゼロクロス検出信号ＺＲＸ１は出力されなくなるので常にＨレベルとなる。その結果、ゼロクロス検出信号ＺＲＸ１を監視することにより、スイッチＳＷがオン操作されたかあるいはオフ操作されたかを検出することができる。なお、スイッチＳＷがオフされたときのヒーターHEATERに供給される電源電圧の位相は不明であるが、ユーザーが意図してスイッチＳＷをオフとしたのでヒーターの制御は不要であり、このためヒーターの制御は停止する。
【００５１】
また、電源コードが抜かれた場合のように、交流電源Ｖａｃが遮断されたときは、平滑コンデンサＣ１によりしばらくは第１直流電源部１２及び第２直流電源部１３はオン状態を保持するが、ゼロクロス検出電流Ｉｚｒｘは流れなくなるので、制御部ＣＣ１は、スイッチＳＷがオフ操作されたと判定し、オフ操作された場合の処理を実行する。
【００５２】
図４は、制御部ＣＣ１が実行するスイッチＳＷのオンオフ判定処理を示すフローチャートである。
【００５３】
ステップＳ０１で、ゼロクロス検出信号が半周期毎にあるかどうかを調べ、あれば（ステップＳ０１でＹＥＳ）、ステップＳ０２で、スイッチＳＷがオンであると判断する。次いでステップＳ０３で、前回の判定がスイッチオフの判定であったかどうかを調べ、前回の判定がスイッチオフの判定である場合は（ステップＳ０３でＹＥＳ）、スイッチＳＷがユーザーの操作によってオンにされたから、ステップＳ０４で、ウォームアップ処理を行う。具体的には、ヒーターHEATERの加熱を開始し、画像形成装置の初期化を行う。この初期化は、後述するステップＳ０７で記憶部にスナップショットとして保存されている初期化情報を用いて行われる。ウォームアップ処理後にステップＳ０１に戻る。
【００５４】
ステップＳ０３で、前回の判定がスイッチオフの判定でない場合は（ステップＳ０３でＮＯ）、スイッチＳＷは継続してオンのままであるから、何もすることなくステップＳ０１に戻る。
【００５５】
ステップＳ０１で、ゼロクロス検出信号が半周期毎になければ（ステップＳ０１でＮＯ）、ステップＳ０５で、スイッチＳＷがオフであると判断する。次いでステップＳ０６で、前回の判定がスイッチオンの判定であったかどうかを調べ、前回の判定がスイッチオンの判定である場合は（ステップＳ０６でＹＥＳ）、スイッチＳＷがユーザーの操作によってオフにされたから、ステップＳ０７で、バックアップ処理を行う。具体的には、画像形成装置１の制御情報である例えばファームウェアの初期化情報のスナップショットを取得し、図示しない記憶部に記憶する。またヒーターHEATERの制御は停止する。なお、第１直流電源部１２及び第２直流電源部１３は、交流電源Ｖａｃに接続され、スイッチＳＷがオフになっても遮断されないので、長時間のバックアップが可能となり、ファームウエアの初期化情報のスナップショットの取得及び記憶部への保存を支障なく行うことができる。このスナップショットにより、ステップＳ０４のウォームアップ処理における初期化を短時間で行うことができ、次回電源立ち上げ時の起動時間の短縮を図ることができる。バックアップ処理後にステップＳ０１に戻る。
【００５６】
ステップＳ０６で、前回の判定がスイッチオンの判定でない場合は（ステップＳ０６でＮＯ）、スイッチＳＷは継続してオフのままであるから、何もすることなくステップＳ０１に戻る。
【００５７】
なお、ステップＳ０７のバックアップ処理における初期化情報のスナップショットの取得及び記憶部への保存とともに、あるいはスナップショットの取得及び記憶部への保存に代えて、画像形成装置１の転写ベルト１０６の位置を初期位置へ移動させてもよい。転写ベルト１０６の位置を初期位置へ移動させておくことにより、電源立ち上げ時の処理を簡素化することも可能となる。
【００５８】
以上、本発明の一実施形態を説明したが、本発明は上記実施形態に限定されることはない。例えば、電源装置１０が画像形成装置１の電源装置である場合について説明したが、画像形成装置以外の他の装置の電源装置として用いられる場合も、同様に適用可能である。
【符号の説明】
【００５９】
１    画像形成装置
１０  電源装置
１２  第１直流電源部
１３  第２直流電源部
１４  ゼロクロス検出回路
Ｖａｃ  交流電源
ＣＣＩ  制御部
【図１】
2018025866.tif 000003
【図２】
2018025866.tif 000004
【図３】
2018025866.tif 000005
【図４】
2018025866.tif 000006